(57)【特許請求の範囲】
【請求項１】
文字と数字とを表示することが可能で、運転条件に関する設定内容を表す設定項目として、洗濯や洗濯乾燥等の洗濯に係る運転のモードと、標準コース等の洗濯に係る運転のコースを選択するための操作部を有する操作パネルを具え、
前記操作部の操作により複数の前記設定内容から選択された１つの設定内容を実行する洗濯機において、
前記文字には大小に大きさが異なる複数の文字があり、電源投入により表示される前記運転のモードおよび前記運転のコース、並びに、電源投入後に選択された前記運転のモードおよび前記運転のコースを大きな文字によって表示する表示部を前記操作パネルに設け、
前記操作部の操作により、複数の前記運転のモードおよび複数の前記運転のコースのうちの選択された１つの前記運転のモードおよび前記運転のコースのみが前記表示部の前記大きな文字によって順次表示され、希望の前記運転のモードおよび前記運転のコースが表示されたときに選択を決定するようにしたことを特徴とする洗濯機。
【請求項２】
前記運転のモードは、複数の前記運転のコースにより実行可能であり、
それぞれの前記運転のモードで実行可能な前記運転のコースの組合せが異なっていることを特徴とする請求項１に記載の洗濯機。
【請求項３】
表示される数字は２桁であることを特徴とする請求項１または２に記載の洗濯機。
【請求項４】
前記操作部は操作ダイヤルを含み、
前記操作ダイヤルの操作に伴い前記複数の設定項目が順にすべて表示されることを特徴とする請求項１から３のいずれか１項に記載の洗濯機。
【請求項５】
前記表示部に各設定項目の設定内容に関する簡単な説明または注意事項が表示されることを特徴とする請求項１から４のいずれか１項に記載の洗濯機。
【請求項６】
選択された設定項目の設定内容に対応した説明を音声や動画により行うサイトに携帯電話で接続するための読み取りコードが前記表示部に表示されることを特徴とする請求項１から５のいずれか１項に記載の洗濯機。
【請求項７】
前記操作部は前記表示部の表示を切り替えるための切替スイッチを有し、
前記切替スイッチの操作により前記表示部の表示が１つの前記運転のモードおよび前記運転のコースのみを表示する状態とすべての設定項目を表示する状態とのいずれかに切り替え可能であることを特徴とする請求項１から６のいずれか１項に記載の洗濯機。
【発明の詳細な説明】
【技術分野】
【０００１】
本発明は、運転条件に関する設定内容を表示する表示部を有し、複数の設定内容から選択された１つの設定内容を実行する洗濯機に関する。
【背景技術】
【０００２】
従来より、洗濯機においては、図８に示すような操作パネル１０１が備えられている。この操作パネル１０１には、右端に、電源「入」キー１０２及び電源「切」キー１０３が設けられ、その左隣に、設定内容を表す設定項目の１つである洗濯、洗濯乾燥（洗乾）、乾燥の各運転のモードを選択するための運転モードキー１０４〜１０６が設けられている。
【０００３】
運転モードキー１０４〜１０６の左隣には、押圧操作されるスタートボタン１０７が設けられ、このスタートボタン１０７の周囲に、回動操作される操作ダイヤル１０８が設けられている。そして、更にその左隣に、液晶表示部１０９と、ふろ水の使用の有無を選択するためのふろ水キー１１０、タイマー予約時刻を選択するための予約キー１１１、洗い、すすぎ、脱水、乾燥の各行程の回数又は時間などを選択するための行程キー１１２〜１１５が設けられている。
液晶表示部１０９には、他の設定項目である複数の運転のコース、乾燥行程の設定内容、及び洗剤量、残り時間、予約時刻、現在時刻などが表示されるようになっている（例えば特許文献１参照）。
【０００４】
この構成で、使用者は、電源「入」キー１０２を押して電源を投入した後、洗濯、洗濯乾燥、乾燥の各運転モードキー１０４〜１０６から希望の運転モードキーを押して運転のモードを選択する。各運転モードは、図９に示すように、異なる組み合わせで複数の運転のコースを各別に有している。使用者が、例えば洗濯モードを選択すると、選択した洗濯モードキー１０４の照明部１０４ａがバックライトにより照明され、この洗濯モードにおける全運転のコース（「標準」、「おやすみ」、「軽い汚れ」、・・・、「クリーン」）が液晶表示部１０９に表示される。次いで、操作ダイヤル１０８を所定方向に回動操作すると、図９に示す順に、液晶表示部１０９に運転のコースが一つずつ囲い表示（図８の１１６参照）されていき、使用者は、希望のコースが囲い表示された所で操作ダイヤル１０８の回動操作を止めてコースの選択を決定し、その後、スタートボタン１０７を押すことにより運転が実行されるようになっている。
【先行技術文献】
【特許文献】
【０００５】
【特許文献１】特開２００７−１５９７１３号公報
【発明の概要】
【発明が解決しようとする課題】
【０００６】
上記構成のものでは、限られたスペースの表示部（液晶表示部１０９）に運転モードごとの複数の設定項目のすべてを表示するため、表示の大きさが小さくなり、設定項目が見づらくなって、使用者が希望の設定項目を選択し難くなり、操作がしづらくなってしまうという問題がある。
【０００７】
本発明は上記した事情に鑑みてなされたものであり、その目的は、表示部に表示される設定項目を見易くして、使用者が希望の設定項目を選択し易くなり、操作し易くできる洗濯機を提供することにある。
【課題を解決するための手段】
【０００８】
上記した目的を達成するために、本発明の洗濯機は、文字と数字とを表示することが可能で、運転条件に関する設定内容を表す設定項目として、洗濯や洗濯乾燥等の洗濯に係る運転のモードと、標準コース等の洗濯に係る運転のコースを選択するための操作部を有する操作パネルを具え、前記操作部の操作により複数の前記設定内容から選択された１つの設定内容を実行する洗濯機において、前記文字には大小に大きさが異なる複数の文字があり、電源投入により表示される前記運転のモードおよび前記運転のコース、並びに、電源投入後に選択された前記運転のモードおよび前記運転のコースを大きな文字によって表示する表示部を前記操作パネルに設け、前記操作部の操作により、複数の前記運転のモードおよび複数の前記運転のコースのうちの選択された１つの前記運転のモードおよび前記運転のコースのみが前記表示部の前記大きな文字によって順次表示され、希望の前記運転のモードおよび前記運転のコースが表示されたときに選択を決定するようにしたことを特徴とする。
【発明の効果】
【０００９】
上記手段によれば、表示部のスペースには、選択された設定内容を表す設定項目を大きな文字によって表示するので、設定項目が見易くなって、使用者が希望の設定項目を選択し易くなり、操作し易くできる。
【図面の簡単な説明】
【００１０】
【図１】本発明の一実施形態を示す操作パネルの正面図
【図２】各運転モードにおける運転のコースを表した図
【図３】ドラム式洗濯乾燥機の外観斜視図
【図４】ドラム式洗濯乾燥機の縦断側面図
【図５】切り替え時の表示部の表示例を示す図
【図６】予約設定時の数字の表示順を表した図
【図７】表示部の他の表示例を示す図
【図８】従来例を示す図１相当図
【図９】図２相当図
【発明を実施するための形態】
【００１１】
[第１の実施形態]
以下、本発明をドラム式洗濯乾燥機に適用した一実施形態について図１〜図７を参照して説明する。
図３及び図４に示すように、洗濯乾燥機１の外郭を構成する筺体２は、前面（図４では左側）が滑らかに傾斜した略矩形箱状をなしている。筺体２の上面には、給水口３及び天板４が設けられている。筺体２の前面中央部には、洗濯物出し入れ用の開口部５が設けられていて、この開口部５には、扉６が設けられている。開口部５の上部には、扉６を開くための扉ボタン７が設けられている。
【００１２】
また、筐体２の前面上部には、操作パネル８及び洗剤類投入部９が設けられている。操作パネル８は、筺体２の裏側に設けられた制御装置１０に接続されている。また、操作パネル８には、各種情報（運転コースや運転時間など）を表示するための表示部である液晶表示部１１が設けられている。
筐体２の内部には、略円筒状をなす水槽１２が配設されている。この水槽１２は、その軸方向が略水平軸状に配設されていると共に、その下方部分が左右２個で一対とする弾性支持装置１３により弾性支持されている。
【００１３】
水槽１２の内部には、洗濯物を収容するための略円筒状のドラム１４が水槽１２と同軸状に回転可能に配設されている。水槽１２及びドラム１４は、いずれも前面側が開放していて、水槽１２の開放側の端部が前記筐体２の開口部５にベローズ１５で接続されている。ドラム１４の胴部や後部壁には、通水及び通風が可能な多数の小孔１６が設けられている（図４では一部のみ図示）。また、ドラム１４の胴部の内周面には、洗濯物を撹拌するためのバッフル１７が複数設けられている。
【００１４】
水槽１２の後部壁には、ドラム１４を回転駆動する駆動モータ１８が設けられている。この駆動モータ１８は、例えばアウターロータ型であり、ステータ１９ａが水槽１２の後部壁に取付固定されていると共に、その外側にロータ１９ｂが回転可能に配設されている。ロータ１９ｂに直結されている回転軸２０は、水槽１２内に水密に貫通していて、この回転軸２０の前端部にドラム１４の後部壁が連結されている。
【００１５】
水槽１２の外周囲には、一端側が吸気口２１に接続されると共に、他端側が吐気口２２となった循環送風路２３が設けられている。この循環送風路２３には、吐気口２２側に吐気ダクト２４、水槽１２の上部にヒータ装置２５と送風機２６、吸気口２１側に熱交換器２７が備えられている。送風機２６には、送風ファン２８と、この送風ファン２８を回転駆動させるためのファンモータ２９が備えられている。送風ファン２８が回転駆動されることにより、水槽１２内の空気が循環送風路２３を通して循環されるようになっている。ヒータ装置２５には、循環送風路２３を通る空気を加熱するための加熱ヒータ３０が備えられている。
【００１６】
熱交換器２７は、前記駆動モータ１８の外周側を回り込むように弧状をなし、その上部には、注水管３１を介して給水弁３２が接続されている。この給水弁３２から注水管３１を介して熱交換器２７内に冷却水として水道水を散水することにより、循環送風路２３を通る空気中の湿気を凝縮（冷却）して除湿を行うようになっている。給水弁３２にはまた水槽１２内に洗濯水としての水道水を給水するための給水ケース３３が給水管３４を介して接続されている。
【００１７】
水槽１２内及び循環送風路２３内の空気は、ヒータ装置２５で加熱されて温風化された後、吐気口２２から水槽１２内に供給されて水槽１２（ドラム１４）内の洗濯物の湿気を奪うようになっている。そして、水槽１２内で湿気を奪った空気（温風）は、吸気口２１から熱交換器２７に送られて除湿された後、ヒータ装置２５に送られて再び加熱（温風化）されるようになっている。
【００１８】
また、水槽１２の下部には、水槽１２内と連通する水溜器３５が取り付けられていて、この水溜器３５の内部に洗濯水加熱用のヒータ３６が配設されている。水溜器３５の最低部である後部底面には、排水口３７が形成されていて、この排水口３７に排水弁３８を介して排水ホース３９を接続することにより水槽１２内の水を機外に排出するようにしている。
【００１９】
次に操作パネル８について説明する。操作パネル８には、図１に示すように、右端に、電源「入」キー４０及び電源「切」キー４１が設けられ、その左隣に、設定内容を表す設定項目の１つである洗濯、洗濯乾燥（洗乾）、乾燥の各運転のモードを選択するための運転モードキー４２〜４４、及び前記液晶表示部１１の表示を切り替えるための切替スイッチである表示切替キー４５が設けられている。各運転モードキー４２〜４４は、夫々照明部４２ａ〜４４ａを有している。これら照明部４２ａ〜４４ａは、バックライトにより照明されるようになっている。
【００２０】
運転モードキー４２〜４４の左隣には、押圧操作されるスタートボタン４６が設けられ、このスタートボタン４６の周囲に、回動操作される操作ダイヤル４７が設けられている。この操作ダイヤル４７は、他の設定項目である運転のコースの選択や予約時刻の設定などを行うためのもので、スタートボタン４６は、運転のコースの開始及び実行中の運転のコースの一時停止を行うためのものである。
【００２１】
そして、更にその左隣の液晶表示部１１の下に、ふろ水の使用の有無を選択するためのふろ水キー４８、タイマー予約時刻を選択するための予約キー４９、洗い、すすぎ、脱水、乾燥の各行程の回数又は時間などを選択するための行程キー５０〜５３が設けられている。以上の各操作キー４２〜４４，４８〜５３、及び表示切替キー４５、操作ダイヤル４７が操作部としての役割を果たす。
【００２２】
上記した構成で、使用者が電源「入」キー４０を押して電源を投入すると、制御装置１０により、標準的には、液晶表示部１１に左端から順に、運転モードの表示５４、運転コースの表示５５、読み取りコード５６、運転時間（数字）の表示５７がされ、それらの下に各運転コースの設定内容に関する簡単な説明または注意事項の表示５８がされる。読み取りコード５６は、例えばＱＲコードで、これを携帯電話で読み込み、読み込んだ携帯電話で、選択された運転コースの設定内容に対応した説明を音声や動画により行うサイトに接続するためのものである。数字の表示５７は、１時間未満の場合は「５０」分というように２桁の整数で表し、１時間以上の場合は、「１．５」時間というように２桁の小数で表すようになっている。
【００２３】
図１には、液晶表示部１１の表示例として、運転モードが洗濯モード、運転コースがホットコースの場合で、左端から順に、「洗濯」、「ホット」、洗濯時間として、「５０分」、コース内容の簡単な説明として、「ドラム内の水を温めて皮脂汚れを落とします」と表示されている。
【００２４】
図２に示すように、各運転モードは、異なる組み合わせで複数の運転のコースを有している。具体的には、洗濯モードは、「標準」、「おやすみ」、「軽い汚れ」、「ホット」、「少量」、「メモリー」、「毛布」、「ドライ」、「クリーン」の運転コースを有し、洗濯乾燥（洗乾）モードは、「標準」、「お急ぎ」、「おやすみ」、「ホット」、「少量」、「メモリー」、「毛布」、「クリーン」の運転コースを有し、乾燥モードは、「標準」、「お急ぎ」、「おやすみ」、「花粉」、「除菌消臭」、「ドラム静止」、「メモリー」、「毛布」、「クリーン」を有している。使用者が操作ダイヤル４７を所定方向に回動操作することにより、これらの各運転モードのすべての運転コースが図２の矢印の示す順に一つずつ、液晶表示部１１に表示されていく。なお、前記所定方向と逆方向に回動操作すれば、図２の矢印とは逆の順に一つずつ、液晶表示部１１に運転コースが表示される。
【００２５】
使用者が液晶表示部１１の表示を確認しながら、操作ダイヤル４７を回動操作していき、希望の運転モードの希望の運転コースが表示された所で操作ダイヤル４７の回動操作を止めて運転コースの選択を決定し、その後、スタートボタン４６を押すと、制御装置１０により運転が実行される。なお、洗濯物は、予めドラム１４内に投入しておく。
【００２６】
また、使用者が電源投入後、前記表示切替キー４５を押すと、図１に示す液晶表示部１１の表示が１つの設定項目のみを表示した状態から、図５に示すすべての設定項目を表示する状態に切り替わる。図５では、液晶表示部１１にすべての設定項目としてすべての運転のコース一覧５９の表示がされている。この運転のコース一覧５９の左側には、表示例として現在時刻が表示されていて、他には洗剤量、残り時間、予約時刻などが表示されるようになっている。使用者が、再び表示切替キー４５を押せば、図１に示した表示状態に戻る。
【００２７】
図５に示す液晶表示部１１の表示状態の時、使用者は、洗濯、洗濯乾燥、乾燥の各運転モードキー４２〜４４から希望の運転モードキーを押して運転のモードを選択する。使用者が、例えば洗濯モードを選択すると、選択した洗濯モードキー４２の照明部４２ａがバックライトにより照明され、洗濯モードにおける全運転のコース（「標準」、「おやすみ」、「軽い汚れ」、・・・、「クリーン」）のみが液晶表示部１１に表示される。操作ダイヤル４７を所定方向に回動操作することにより、図２の矢印の示す順に、液晶表示部１１に運転のコースが一つずつ囲い表示されていき（図８の１１６参照）、使用者は、希望のコースが囲い表示された所で操作ダイヤル４７の回動操作を止めてコースの選択を決定し、その後、スタートボタン４６を押すことにより運転が実行される。
【００２８】
また、使用者が電源投入後、上記した方法により希望の運転モードと運転コースを選択して予約キー４９を押すと、タイマー予約の設定ができる状態になる。この状態では、液晶表示部１１に２桁の数字が表示されるようになっていて、使用者が操作ダイヤル４７を所定方向に回動操作することにより、図６の矢印の示す順に一つずつ、１〜１２までの数字が液晶表示部１１に表示されていく。使用者が希望の時間の数字の所で操作ダイヤル４７の回動操作を止めて予約時刻の選択を決定し、スタートボタン４６を押すと、制御装置１０により選択された時間後に、運転が実行される。
【００２９】
図７は、液晶表示部１１の他の表示例を示す図で、運転モードが乾燥モード、運転コースが標準コースの場合で、左端から順に、「乾燥」、「標準」、乾燥時間として「１．５」時間、コース内容の簡単な注意事項として「マット類は乾燥させないで下さい」と表示されている。なお、注意事項は、洗濯モードの場合は「マット類を洗濯・脱水しないで下さい」と表示し、洗濯乾燥モードの場合は「マット類を洗濯・脱水・乾燥させないで下さい」と表示する。
【００３０】
上記した本実施形態によれば、次のような効果を得ることができる。
液晶表示部１１には、複数の設定項目の中から選択された１つの設定項目のみを表示するので、設定項目の文字の大きさを大きくすることができ、この結果、設定項目が見易くなって、使用者が希望の設定項目を選択し易くなり、操作し易くできる。
【００３１】
すなわち、複数の運転のコースの中から選択された１つの運転のコースのみが液晶表示部１１に表示されるので、運転のコースが見易くなって、使用者が希望の運転のコースを選択し易くできる。
【００３２】
また、複数の運転のモードの中から選択された１つの運転のモードのみが液晶表示部１１に表示されるので、運転のモードが見易くなって、使用者が希望の運転のモードを選択し易くできる。
【００３３】
また、液晶表示部１１に表示される設定項目に関する数字は、２桁で表示されるので、数字の大きさを大きくすることができ、この結果、数字が見易くなって、使用者が希望の数字を選択し易くなり、操作し易くできる。
【００３４】
また、操作ダイヤル４７の操作により、液晶表示部１１に複数の設定項目（全運転モードの運転のコース）が、一つずつ順にすべて表示されるので、運転モードキー４２〜４４を押して運転モードを選択する必要がなく、操作ダイヤル４７の操作のみで、希望の運転のモード及び運転のコースを容易に選択することができる。
【００３５】
また、液晶表示部１１に各設定項目の設定内容に関する簡単な説明または注意事項の表示５８がされるので、使用者が設定項目（運転コース、運転モード）の設定内容を理解し易くなり、操作し易くできる。これにより、初めて使用するコースでも、取扱説明書を見る必要がなく、また、誤った使い方をすることで故障や事故が発生することを防ぐことができる。
【００３６】
また、液晶表示部１１に表示される読み取りコード５６を携帯電話に読み込むことにより、設定項目の設定内容に対応した説明を音声や動画により行うサイトに接続することができるので、使用者は音声や動画による説明を受けて運転のモード及び運転のコースの理解をすることができ、もって、設定内容を理解し易くなり、操作し易くできる。特に耳が聞こえ難い使用者は、携帯電話により耳の近くで説明の音声を聞くことができるので、聞き取り易くすることができる。
【００３７】
また、表示切替キー４５により液晶表示部１１の表示が１つの設定項目のみを表示する図１の表示状態と、すべての設定項目を表示する図５の表示状態とのいずれかに切り替え可能であるので、必要に応じて表示状態を切り替えて操作することができる。例えば、高齢者などの操作に慣れない使用者が使用するときは図１の表示状態で使用し、操作に慣れた使用者は図５の表示状態で操作するというように使い分けることにより、使用者に応じて便利に使用することができる。
【００３８】
なお、本発明は上記し且つ図面に示した実施形態にのみ限定されるものではなく、要旨を逸脱しない範囲内で適宜変更して実施し得る。
【符号の説明】
【００３９】
図面中、８は操作パネル、１１は液晶表示部（表示部）、４２〜４４は操作キー（操作部）、４５は表示切替キー（切替スイッチ、操作部）、４７は操作ダイヤル（操作部）、４８〜５３は操作キー（操作部）、５６は読み取りコード、５７は２桁の数字の表示、５８は各設定項目の設定内容に関する簡単な説明または注意事項の表示、５９はすべての運転のコース（設定項目）一覧を示す。
【図１】
0005846721.tif 000002
【図２】
0005846721.tif 000003
【図３】
0005846721.tif 000004
【図４】
0005846721.tif 000005
【図５】
0005846721.tif 000006
【図６】
0005846721.tif 000007
【図７】
0005846721.tif 000008
【図８】
0005846721.tif 000009
【図９】
0005846721.tif 000010